(57)【要約】【課題】  ゴルフスイングの基本は、ＡＬＬスクェアアドレスで、これはプロゴルファーにとっても永遠の課題である。従来のスイングチェックは、正面か後方から見るのがスタンダードで、プロのレッスンでも仲間のアドバイスでも、又はムービーカメラによるチェックでも何時も決まったアングルからのチェックが一般的で、まして自分自身でスクェアなアドレスを容易にチェックする方策がなかった。そのため練習量に見合う効果も少なく、マンネリ化して練習の興味も薄れていた。【解決手段】  本発明は、アドレス時およびスイング時における頭部、両肩、両肘、左右の腰、両膝の線の動態変化を常に目視可能とするため、容易に理想スイングの体のライン（足、肩、腰等）の軌道確認、又は飛球方向に対するスクェア（平行）感覚を体得できる点が本発明の主要な特徴である。【選択図】  図２
2007089843.tif 000002
【特許請求の範囲】
【請求項１】
ゴルフスイングにおける頭部、両肩、両肘、左右の腰、両膝の線の動態変化を自分の目で上面から観察できる大きさの面積を有した長方形の平面鏡を備えるゴルフ用補助装置。
【請求項２】
平面鏡の表面には、中央部及びその左右に数本の縦線と横方向には中心線が設けられ、これらの線はアドレス時の頭部基準位置およびスイング軌道をつくる目標線のはたらきを持った請求項１記載のゴルフ用補助装置。
【請求項３】
平面鏡の左右両端部には、間隔を置いて複数のマークの付いた部材が嵌め込まれていて、このマークは、ドローボール及びフェードボールの程度を打ち分けるための目安として使用する請求項１、２記載のゴルフ用補助装置。
【請求項４】
長方形の平面鏡は、収納及び持ち運びを容易にするために２分割又は折りたたみのできる構造にすることも可能で、使用時には容易に組み立てられて一体の平面鏡となる請求項１、２、３記載のゴルフ用補助装置。
【発明の詳細な説明】
【技術分野】
【０００１】
本発明は、ゴルフスイングでの理想クラブヘッド軌道の改善を主たる目的にするものではなく、スイング時の体のライン（足、肩、腰等）の軌道確認、又は飛球方向に対するスクェア（平行）感覚を体得することを主たる目的に開発したゴルフ用補助装置である。
【背景技術】
【０００２】
これまでにもゴルフスイングの矯正のため、ゴルファーの左右又は前部ないし足元にミラーを設置してスイングを確認する装置等は存在したが、本ゴルフ用補助装置のように真上ないし真下からアドレス時の姿勢（構え方）およびスイング時の動態変化を捉える発想はなく、ゴルフのスイングに取り入れたものは見当たらなかった。
【発明の開示】
【発明が解決しようとする課題】
【０００３】
ゴルフスイングの基本は、ＡＬＬスクェアアドレスで、これはプロゴルファーにとっても永遠の課題である。従来のスイングチェックは、正面か後方から見るのがスタンダードで、プロのレッスンでも仲間のアドバイスでも、又はムービーカメラによるチェックでも何時も決まったアングルからのチェックが一般的で、まして自分自身でスクェアなアドレスを容易にチェックする方策がなかった。そのため練習量に見合う効果も少なく、マンネリ化して練習の興味も薄れていた。
【課題を解決するための手段】
【０００４】
本発明は、アドレス時およびスイング時における頭部、両肩、両肘、左右の腰、両膝の線の動態変化を常に目視可能とするため、容易に理想スイングの体のライン（足、肩、腰等）の軌道確認、又は飛球方向に対するスクェア（平行）感覚を体得できる点が本発明の主要な特徴である。
【発明の効果】
【０００５】
アドレス時に、平面鏡を自分の目線の真下に配置することで、今まで見たこともないアングルから自分自身のスクェアスイングの状態をチェックできる。アドレス時とインパクト時、フォロスルーの体の動きを、ミラー反射により正確に自分自身でチェックすることができる。ハーフスイングにおいて、左右対称の腕の動きとスイングメカニズムが正確（両肘先の腕の三角形）に体得できることで、理想の腕の使い方を自分のものにできる。
【０００６】
練習場等で実際にボールを試打する場合でも、平面鏡を併用した練習でさらに練習の成果が期待できる。平面鏡をスタンスとボールの間に設置することで、自然と立ち位置やボールとの距離関係を自分のものに習得することが可能で、さらに平面鏡の左右両端に設けられた数値の入った２色のマークを使ってドローボールやフェードボールを打ち分ける練習もでき、さらにはクラブのスイートスポットでボールを捕らえることの苦手なビギナーのために、赤色の中心線を反転（反射鏡を１８０度回転さす）させることで、打点をクラブヘッドのトウ寄り又はヒール寄りに微調整することもできる。
【０００７】
使用時には長方形の平面鏡だが、使用後は収納が容易なように長手方向に２分割又は２つ折りしてキャディバック等に収納できるもので、使用時には像の歪の無いフラットな平面鏡に簡単に組み立てられる構造になっている。
【発明を実施するための最良の形態】
【０００８】
以下、添付図面を参照して、本発明に従うゴルフ用補助装置について説明する。図１は実施形態のゴルフ用補助装置を示す平面図であり、図２はゴルフ用補助装置の使用形態を示す配置図であり、図３はゴルフ用補助装置を使用してフェードボールやドローボールの球種を打ち分ける練習の際の設置状態を示している。図４は本ゴルフ用補助装置を使用済み後は収納が容易な状態に５つの部品に分解した状態を示し、図５はその内の２つの部品について断面形状とともに機能を説明するための説明図である。
図１において、このゴルフ用補助装置Aは、平面鏡１を備えている。この平面鏡１は、スイングにおける頭部、両肩、両肘、左右の腰、両膝の線の動態変化を自分の目で上面から観察できるように、概ね縦Wが１５〜３０ＣＭ、横Lが４０〜７０ＣＭの面積を有している。平面鏡1の材質は、例えば３ＭＭ厚程度のアクリル板（塩ビ板でも構わない）にアルミ蒸着したものを使用し、その他の部材も軽量化を考慮して主にプラスティック材料を用いている。この平面鏡1は、実施形態では一対の細長いミラー部材１ａ、１ｂを接合して構成されているが、単一のミラー部材で構成しても良い。
【０００９】
平面鏡１の表面には、間隔を置いて３本の縦線２、３ａ、３ｂが設けられている。中央の縦線２は平面鏡横方向の中央部に設けられ、縦線３ａ、３ｂはこの縦線２の両側に設けられている。これらの縦線は黄色以外にも適宜な色と線幅で良く、例えばカラーテープを貼り付ける、又はマーカーで線を引く、ミラー面にシルク印刷する等によって形成される。縦線２は、頭部基準線となるもので、アドレス時に頭部中心がこの位置にくるように自然体で立つためのアドレス位置の目安とする。両側の縦線３ａ、３ｂはスェー許容線で、バックスイングとフォロースローで頭部の位置がこの間に納まるように、左右のスェーの許容範囲の目安にするための線である。
【００１０】
平面鏡１の表面には、スイングする際の目標となる長手方向に中心線４が設けられている。この中心線４は図５−ａに示すように、片側は幅の広い線と反対側は幅の狭い線の両面を有し、赤色以外の適宜な色で良く、例えばカラーテープを貼り付けたり、又はマーカーで塗装をしても良く、部材の表面に適宜な色彩を設けることによって形成される。この「スイング目標線４」は、アドレスの際にはこの線にスクェアにスタンスを取ることを基本にする。スイングの際にも両肩、両肘、左右の腰、両膝の線の動態変化がこの線上でスクェアに行われるための動作の目安にするためのものである。又、シャドウスイングにおいて、クラブの軌道がアウトサイドインかインサイドアウトに入っているかの確認にも使用できる。ゴルファーによってはこの目標線が幅広のため使用しづらいという人には、表裏反転させて幅の狭い側を使用することもでき、好みにより選択することができる。
【００１１】
平面鏡１の左右両端部には、数値や記号で色別したマークの打出し角度目盛り６を有する目盛り板５が嵌め込まれており、この識別マークについては実施形態、図５−ｂのように４、８、１２の数値を印刷した黄色と緑色のラベルに拘らず、例えば３、６、９乃至５、１０、１５又はａ、ｂ、ｃなどの適当な記号でも良く、色彩や大きさ、デザイン形状等も適宜設定できる。又ラベルを貼り付ける以外にも目盛り板５に印刷したり、別に拵えた部材を接着や他の方法で固定しても良い。この打出し角度目盛り６は、ドローボール及びフェードボールの程度を打ち分けるための目盛りで、左右の同じ色と数値又は記号のマークにゴルフクラブ等を設置して、そのクラブの延長線上に打球の目標点を定めるようにゴルフ補助装置Ａを配置する。図３はその一例で、打ち出し角度４度でフェードボールを打つ際のゴルフ補助装置Ａの設置図を表す。ドローボール及びフェードボールを打ち分けるには、アドレスは前項「００１０」と同様に赤線と平行に構えるが、前項「００１０」との違いは、クラブヘッドを鏡の上に置いたクラブに沿って打球の目標点に向けることである。ただし、この場合もクラブのスイングはスイング目標線４の赤線に沿ってクラブを振り抜く基本は同じである。
【００１２】
スイング目標線４は、図５−ａに示すように、片側は幅の広い線と反対側は幅の狭い線で構成されており、幅広側を使用する場合には線の中心が僅かに平面鏡１の中心からズレているため、練習場等で実際に打球を打ちながら本練習機をスイングチェックに併用する場合は、クラブヘッドのボールのヒット位置をトウ寄り又はヒール寄りに調整する目安として鏡面を１８０度回転させてスートスポットを見つけながら練習することもできる。
【００１３】
本練習機は、本来は図１のように組み立てて使用するが、用済み後は図４のように５つの部材に分解することもでき、概ね縦１０ＣＭ、横５０ＣＭの大きさで２つに分割又は折りたたんで面積を小さくして携帯用の収納バック等に収め、さらにキャディバック等へ入れて持ち運ぶことができる。
【００１４】
使用時には、再び図１のように分割したものを接合したり、折りたたんだものを拡げて一枚の平面鏡に復元する。この際フラットな平面鏡に復元できなければ、映像が歪んで使い物にならない。そこで図−５ｂに示す目盛り板５の断面の溝にミラー部材の１ａ、１ｂを嵌め込むことで２つの部材がフラットな平面鏡に復元できる。
【図面の簡単な説明】
【００１５】
【図１】ゴルフ用補助装置を正面から見た外観図
【図２】使用配置図
【図３】ゴルフ用補助装置で球種を打分ける際の設置図
【図４】部品全体図
【図５】ａ）スイング目標線の断面図              ｂ）打ち出し目盛り板の平面図および断面図
【符号の説明】
【００１６】
Ａ  ゴルフ用補助装置
１  平面鏡
１ａ、１ｂは平面鏡の半片
２  頭部基準線（アドレス時）
３ａ スェー許容線
３ｂ スェー許容線
４  スイング目標線
５  目盛り板
６  打出し角度目盛り
【図１】
2007089843.tif 000003
【図２】
2007089843.tif 000004
【図３】
2007089843.tif 000005
【図４】
2007089843.tif 000006
【図５】
2007089843.tif 000007
【手続補正書】
【提出日】平成17年12月22日(2005.12.22)
【手続補正１】
【補正対象書類名】特許請求の範囲
【補正対象項目名】全文
【補正方法】変更
【補正の内容】
【特許請求の範囲】
【請求項１】
ゴルフスイングにおける頭部、両肩、両肘、左右の腰、両膝の線の動態変化を自分の目で上面から観察できる大きさの面積を有した長方形の平面鏡を主体とするゴルフ用補助装置で、この平面鏡の表面には、横方向には理想スイング軌道をつくる目標線のはたらきを持った中心線が設けられ、平面鏡の左右両端部にはドローボール及びフェードボールの程度を打ち分けるための目安として、間隔を置いて複数のマークの付いた部材が嵌め込まれているゴルフ用補助装置。
【請求項２】
平面鏡の表面には、中央部及びその左右に数本の縦線が設けられ、これらの線はアドレス時の頭部基準位置およびスイング時に頭部の左右スェー許容範囲を示す目標線のはたらきを持つ請求項１記載のゴルフ用補助装置。
【請求項３】
長方形の平面鏡は、ゴルフバックへの収納及び持ち運びを容易にするために２分割又は折りたたみのできる構造にすることも可能で、使用時には容易に組み立てられて一体の平面鏡に復元できる構造を有した請求項１、２記載のゴルフ用補助装置。